(57)【特許請求の範囲】
【請求項１】
第１のハウジングと第２のハウジングをシール部材を介して結合する防水コネクタにおいて、前記第１のハウジングの筒状部を受け入れる環状孔を前記第２のハウジングに設け、内筒部と外筒部から成る前記環状孔の前記内筒部の中心軸側には接触端子を配置し、前記環状孔内には前記内筒部と外筒部に密着する前記シール部材を弾性部材の付勢力により前方に移動可能にかつ前記第１のハウジングの筒状部の押圧力により後方に移動可能に設け、前記環状孔の周壁には前記ハウジング同士が完全結合状態の近傍まで結合したときに前記シール部材の後方の空気を前記シール部材の前方に逃す第１の空気通路を設けたことを特徴とする防水コネクタ。
【請求項２】
前記シール部材に前後を貫通する第２の空気通路を設け、前記コネクタ同士を結合する際に前記第２の空気通路を前記第１のハウジングにより密閉するようにした請求項１に記載の防水コネクタ。
【請求項３】
前記弾性部材を圧縮コイルばねとし、前記シール部材の後方の前記環状孔内に前後方向に向けて配置した請求項１に記載の防水コネクタ。
【請求項４】
前記第１の空気通路を前記外筒部の内周面に前後方向に向けて設けた請求項１に記載の防水コネクタ。
【請求項５】
前記第２の空気通路に連通する第３の空気通路を有するスリーブを前記シール部材の後方で前記シール部材に従動するように設けた請求項２に記載の防水コネクタ。
【請求項６】
前記シール部材には前記内筒部に密着する小径部と、該小径部の後部で前記外筒部に密着する大径部とを設け、該大径部に前記第２の空気通路を設けた請求項２に記載の防水コネクタ。
【発明の詳細な説明】
【０００１】
【発明の属する技術分野】
本発明は、電線同士を防水状態で電気的に接続するための防水コネクタに関するものである。
【０００２】
【従来の技術】
従来のこの種の防水コネクタは、シールを介して相互に結合し得る第１のハウジングと第２のハウジングを備え、第１のハウジングは一方の電線に接続した第１の接続端子を収容し、第２のハウジングは他方の電線に接続した第２の接続端子を収容している。また、第１のハウジングと第２のハウジングは、完全に結合した際に相互に係合してハウジング同士をロックするロック部と被ロック部をそれぞれ有している。
【０００３】
【発明が解決しようとする課題】
しかしながら、ハウジング同士を完全に結合しない場合、つまりロック部と被ロック部が係合しない場合でも、接続端子同士が電気的に接続することがある。このため、誤ってロック部と被ロック部とが係合しない状態のままハウジング同士を振動する場所に配置した場合には、振動によりハウジング同士が解離し、接続端子同士つまり電線同士が導通しなくなるという問題が発生する。
【０００４】
本発明の目的は、上述の問題点を解消し、ハウジング同士の不完全結合を防止し得る防水コネクタを提供することにある。
【０００５】
【課題を解決するための手段】
上記目的を達成するための本発明に係る防水コネクタは、第１のハウジングと第２のハウジングをシール部材を介して結合する防水コネクタにおいて、前記第１のハウジングの筒状部を受け入れる環状孔を前記第２のハウジングに設け、内筒部と外筒部から成る前記環状孔の前記内筒部の中心軸側には接触端子を配置し、前記環状孔内には前記内筒部と外筒部に密着する前記シール部材を弾性部材の付勢力により前方に移動可能にかつ前記第１のハウジングの筒状部の押圧力により後方に移動可能に設け、前記環状孔の周壁には前記ハウジング同士が完全結合状態の近傍まで結合したときに前記シール部材の後方の空気を前記シール部材の前方に逃す第１の空気通路を設けたことを特徴とする。
【０００６】
【発明の実施の形態】
本発明を図示の実施例に基づいて詳細に説明する。
図１は相互に結合可能な第１のコネクタ１と第２のコネクタ２の要部断面図であり、第１のコネクタ１には第１のハウジング３に第１の接続端子４が収容され、第２のコネクタ２には第２のハウジング５に第２の接続端子６が収容されている。第１のハウジング３と第２のハウジング５には図示しないロック部と被ロック部がそれぞれ設けられ、これらのロック部と被ロック部は、ハウジング３、５同士が完全に結合した際に係合するようにされて、両ハウジング３、５同士が不時に外れないようにしている。
【０００７】
第１の接続端子４には例えば雄型の接続端４ａが設けられ、その後部には図示しない電線が接続されている。第２の接続端子６には第１の接続端子４の接続端４ａが圧入される雌型の端子接続部６ａが設けられ、その後部には電線７が接続されている。第１のコネクタ１の後部は電線に嵌着された図示しないワイヤシールにより防水され、第２のコネクタ２の後部は電線７に嵌着されたワイヤシール８により防水されている。
【０００８】
第１のハウジング３には端部３ａを有する筒状部３ｂが設けられ、筒状部３ｂの内部には段部３ｃが形成されている。第２のハウジング５には内筒部１１が設けられ、この内筒部１１の中心軸側には第２の接続端子６を収容するための端子収容孔１２が例えば２列に形成されている。端子収容孔１２には第２の接続端子６を係止する可撓ランス１３が設けられ、この可撓ランス１３により第２の接続端子６の後方への抜け出しが防止されている。
【０００９】
内筒部１１の外側には、外筒部１４が所定の間隔をおいて支持壁１５により支持されている。支持壁１５の前方の内筒部１１と外筒部１４の間は、前面開口１６ａを有する環状孔１６とされている。環状孔１６の奥部で外筒部１４の内周面には、略前後方向に向かう少なくとも１つの溝状の第１の空気通路１７が形成されている。また、環状孔１６の奥部の支持壁１５には、例えば４個の円形溝１８が中心軸を中心とした４方向に形成されている。
【００１０】
環状孔１６には、例えば４個の圧縮コイルばね１９、環状のスライダ２０及び筒状のシール部材２１が奥部から順次に配置されている。圧縮コイルばね１９は環状孔１６に前後方向に向けて配置され、圧縮コイルばね１９の後端は円形溝１８に嵌め込まれ、この圧縮コイルばね１９の前端はスライダ２０に圧接されている。スライダ２０、シール部材２１は内筒部１１の外周に前後方向に移動自在に嵌合されている。
【００１１】
スライダ２０の内周面と外周面は、内筒部１１と外筒部１４にそれぞれ摺接自在とされ、スライダ２０には前後に貫通する少なくとも１つの第３の空気通路２２が形成されている。シール部材２１には前面２１ａを有し内筒部１１に圧接する小径部２１ｂと、この小径部２１ａの後部で外筒部１４に圧接するフランジ部２１ｃとが設けられ、フランジ部２１ｃにはスライダ２０の第３の空気通路２２に連通する第２の空気通路２３が形成されている。そして、内筒部１１、外筒部１４、支持壁１５及びシール部材２１により、シール部材２１の後方の環状孔１６は第２の空気通路２３を除いて密封されている。
【００１２】
このような構成により、第１のハウジング３と第２のハウジング５を結合する際には、図２に示すように第１のハウジング３の筒状部３ｂが第２のハウジング５の前面開口１６ａから環状孔１６に進入し、第１のハウジング３の端部３ａがシール部材２１の第２の空気通路２３を密閉すると共に、第１のハウジング３の段部３ｃがシール部材２１の前面２１ａに当接する。
【００１３】
ハウジング３、５同士を更に結合すると、図３に示すように第１のハウジング３の段部３ｃがシール部材２１の前面２１ａを押圧し、シール部材２１とスライダ２０が圧縮コイルばね１９の付勢力に抗して支持壁１５側に移動する。このとき、第１のハウジング３の端部３ａがシール部材２１の第２の空気通路２３を密閉しているので、スライダ２０が後方に移動するにつれてスライダ２０の後方の環状孔１６の内部の空気圧力が上昇する。同時に、環状孔１６内の空気圧力と圧縮コイルばね１９の弾発力が、スライダ２０を前方に押し出すように作用している。従って、この時点でハウジング３、５から手を離してハウジング３、５同士の結合を停止した場合には、第１のハウジング３はスライダ２０とシール部材２１を介して第２のハウジング５から押し出され、ハウジング３、５同士の不完全結合が防止される。
【００１４】
そして、図４に示すようにハウジング３、５同士を完全結合状態の近傍まで結合すると、シール部材２１のフランジ部２１ｃが第１の空気通路１７の後部１７ａを開放する位置まで移動する。同時に、スライダ２０の背後の環状孔１６内の空気が第１の空気通路１７を通ってシール部材２１のフランジ部２１ｃの前方に流通し、スライダ２０の後方の環状孔１６内の空気圧力が低下する。これにより、スライダ２０とシール部材２１が移動し易くなり、スライダ２０が支持壁１５に圧接すると共に、ロック部と被ロック部が係合し、ハウジング３、５同士がロックする。また、第１の空気通路１７から水が侵入しても、この水はシール部材２１によって接続端子４、６側に入り込むことはない。
【００１５】
このように、実施例では第１のハウジング３の筒状部３ｂを受け入れる環状孔１６を第２のハウジング５に設け、環状孔１６にはスライダ２０とシール部材２１を圧縮コイルばね１９の付勢力で前方に移動可能に、かつ第１のハウジング３の押圧力により後方に移動可能に設け、ハウジング３、５同士を完全結合状態の近傍まで結合したときに、スライダ２０の後方の環状孔１６内の空気をシール部材２１の前方に逃す第１の空気通路１７を設けたので、ハウジング３、５同士を完全結合状態の近傍まで結合する前には、シール部材２１の後方の環状孔１６内の空気圧力を上昇させることができる。
【００１６】
従って、ハウジング３、５同士を完全結合状態の近傍まで結合する前にハウジング３、５同士の結合を停止して手を離した場合には、スライダ２０の後方の環状孔１６内の空気圧力と圧縮コイルばね１９の弾発力により第１のハウジングを押し出すことができ、ハウジング３、５同士の不完全結合を防止できる。
【００１７】
一方、ハウジング３、５同士を分離する際には、ロック部と被ロック部の係合を解除するだけでハウジング３がハウジング５から圧縮コイルばね１９の弾発力によって完全結合状態の近傍まで押し出され、ハウジング３、５同士の分離が容易となる。
【００１８】
【発明の効果】
以上説明したように本発明に係る防水コネクタでは、第１のハウジングの筒状部を受け入れる環状孔を前記第２のハウジングに設け、この環状孔にはシール部材を弾性部材の付勢力で前方に移動可能かつ第１のハウジングの押圧力により後方に移動可能に設け、環状孔の周壁にはハウジング同士を完全結合状態の近傍まで結合したときにシール部材の後方の空気をシール部材の前方に逃す第１の空気通路を設けたので、ハウジング同士を完全結合状態の近傍まで結合する前にはシール部材の後方の環状孔内の空気圧力を上昇させることができる。
【００１９】
従って、ハウジング同士を完全結合状態の近傍まで結合する前にハウジング同士の結合を停止した場合には、シール部材の後方の空気圧力と弾性部材の弾発力によってシール部材を前方に押し出すことにより、第１のハウジングを第２のハウジングから離れるように押し出すことができ、ハウジング同士の不完全結合を防止できる。
【図面の簡単な説明】
【図１】実施例の要部断面図である。
【図２】ハウジング同士の結合初期の作用説明図である。
【図３】ハウジング同士の不完全結合時の作用説明図である。
【図４】ハウジング同士の完全結合時の作用説明図である。
【符号の説明】
３  第１のハウジング
３ａ  端部
３ｂ  筒状部
４  第１の接続端子
５  第２のハウジング
６  第２の接続端子
１１  内筒部
１４  外筒部
１５  支持壁
１６  環状孔
１７  第１の空気通路
１９  圧縮コイルばね
２０  スライダ
２１  シール部材
２２  第３の空気通路
２３  第２の空気通路
【図１】
0003923626.tif 000002
【図２】
0003923626.tif 000003
【図３】
0003923626.tif 000004
【図４】
0003923626.tif 000005